(57)【特許請求の範囲】
【請求項１】
画面上に表示部を表示する出力手段と、
パネルが接触されることでタッチ信号を出力し、前記パネルが押圧されることでクリック信号を出力するコントローラと、
前記タッチ信号及び前記クリック信号の双方が入力されると共に、複数の異なる記号の何れか１つを前記表示部に表示させ、前記タッチ信号の入力状態で前記クリック信号の入力と入力解消により前記複数の異なる記号を予め設定された順番で前記表示部に切替表示し、且つ、前記タッチ信号及び前記クリック信号の双方の入力が解消されることで前記表示部に表示された記号を確定する制御手段と、
を備える記号入力装置。
【請求項２】
前記制御手段は各々が互いに異なる複数の記号の何れか１つを表示する複数の前記表示部を前記出力手段に表示し、前記コントローラは前記パネルでの接触位置に基づき前記複数の表示部の何れか１つに対応した前記タッチ信号を出力し、前記制御手段は入力された前記タッチ信号に対応した前記表示部に表示された記号を前記クリック信号の入力と前記クリック信号の入力解消とに基づき切替表示することを特徴とする請求項１に記載の記号入力装置。
【請求項３】
前記制御手段は互いに異なる複数の記号の何れか１つを表示する候補表示部を前記表示部とは別に前記出力手段に表示すると共に、前記クリック信号の入力と前記クリック信号の入力解消とにより前記表示部にて前記複数の記号が切替表示されることを特徴とする請求項１に記載の記号入力装置。
【発明の詳細な説明】
【０００１】
【発明の属する技術分野】
本発明は、例えば、車両に搭載されるカーナビゲーション装置のモニタ画面上に文字等の記号を入力するため等に用いる記号入力装置に関する。
【０００２】
【従来の技術】
例えば、車両に搭載されるカーナビゲーション装置には、コントローラから５０音文字や英数文字を直接入力してモニタ画面にて地名等を表示させ、更に、この状態から該当する地名の場所を検索したり、該当する地名の場所までの経路を検索する機能を備えたタイプがある。
【０００３】
この種の装置において文字を選択し、確定するにあたっては、例えば、モニタ画面に５０音表を表示し、この表中から文字を選択する方法があるが、比較的に小さな画面に５０音を表示することで、個々の文字が小さくなってしまうことから操作する側からの識別が困難になりやすく、また、個々の文字が小さくなることから選択移動操作、特に隣接する文字への選択移動操作が極めて微細な操作となり、操作性が悪いといった問題がある。
【０００４】
これに対し、近年、携帯電話等では１つのキー（スイッチ）に５０音の１行分（あ行ならば「あいうえお」の５文字、か行ならば「かきくけこ」の５文字）を割り当て、入力したい文字が表示されるまで同一キーを断続的或いは連続的に押圧して、入力したい文字が表示された後にその文字を確定するという構成（以下、「テンキー構造」と称する）が採用されており、上述したカーナビゲーション装置のコントローラにおいても、携帯電話と同様のテンキー構造を採用することが考えられている。
【０００５】
このテンキー構造を採用した場合のメリットとしては、１つのキー（スイッチ）に複数の文字を割り当てられるので必要とするキーの数を少なくできるため、コントローラにおいてもこれらのキー設定が可能になる。しかも、全てのキーに対応した表示部を表形式でモニタ画面に表示させても、１つのキーに対応した表示部を大きくできるため、上記の５０音表を表示させることによる問題も解消できる。
【０００６】
【発明が解決しようとする課題】
ところで、上記のテンキー構造を採用した場合、モニタ画面中に各キーに対応するキー表示部と、各キーで選択、確定した文字を表示するための文字表示部の双方が必要となる。この場合、各キーにて文字を選択している際には、そのキーが確実に操作されているか否かをそのキーに対応したキー表示部で確認しなければならず、選択した文字がどの文字かを文字表示部で確認しなければならない。すなわち、上記のテンキー構造を採用した場合、文字を選択、変更する度に、キー表示部と文字表示部との間で視点を移動させなければならず、操作性という観点からすれば、未だ改良の余地があった。
【０００７】
本発明は、上記事実を考慮して、操作時における視点移動回数を少なくでき、操作性に優れる記号入力装置を得ることが目的である。
【０００８】
【課題を解決するための手段】
請求項１記載の記号入力装置は、画面上に表示部を表示する出力手段と、パネルが接触されることでタッチ信号を出力し、前記パネルが押圧されることでクリック信号を出力するコントローラと、前記タッチ信号及び前記クリック信号の双方が入力されると共に、複数の異なる記号の何れか１つを前記表示部に表示させ、前記タッチ信号の入力状態で前記クリック信号の入力と入力解消により前記複数の異なる記号を予め設定された順番で前記表示部に切替表示し、且つ、前記タッチ信号及び前記クリック信号の双方の入力が解消されることで前記表示部に表示された記号を確定する制御手段と、を備えている。
【０００９】
上記構成の記号入力装置によれば、出力手段には制御手段によって表示部が表示される。さらに、表示部には制御手段によって異なる複数の記号の何れか１つが表示される。
【００１０】
一方、コントローラのパネルに指等が触れるとタッチ信号がコントローラから出力され、更に、パネルが指等に押圧されるとクリック信号がコントローラから出力される。このようにしてコントローラから出力されたタッチ信号及びクリック信号は制御手段に入力される。制御手段は入力されたタッチ信号が入力された状態でクリック信号の入力と入力の解消が行なわれることで表示部に表示した記号を予め設定した順番で他の記号に切り替えて表示させる。このように表示部に表示される記号が切り替えられるが、パネルに触れていた指等がパネルから離間して制御手段に対するクリック信号及びタッチ信号の双方の入力が解消されると表示部に表示された記号が確定される。
【００１１】
ここで、本記号入力装置では、表示部中に表示された候補の記号が切り替えられるため、記号入力に際して視点を移動させなくても、表示部を見るだけで記号を識別できる。これにより、多くの視点移動に伴う操作性悪化を防止できる。
しかも、上記のように表示部への記号の表示や、表示部に表示する記号の切り替えはタッチ信号及びクリック信号に基づいている。ここで、例えば、コントローラのパネルに触れた指がパネルを押圧し、又は、押圧を解消すれば、タッチ信号の出力を継続したままクリック信号を出力し、又は、クリック信号の出力を停止できる。さらに、パネルから指を離せばタッチ信号及びクリック信号の双方の出力を停止できる。したがって、本記号入力装置では、候補表示部や記号入力部に表示する記号の切り替えを簡単にできる。
【００１２】
なお、本発明において適用する記号に関しては特に限定するものではなく、例えば、ひらがな、かたかな、英文字、数字、ギリシャ文字の各種文字や、これらの文字の他、＋（プラス）や−（マイナス）等の数学記号、更には、住所表記等において用いられる郵便番号を示す記号（〒）等の文字以外の記号、また、複数の文字列により構成される単語等、様々な態様を含むものである。
【００１４】
請求項２記載の記号入力装置は、請求項１記載の本発明において、前記制御手段は各々が互いに異なる複数の記号の何れか１つを表示する複数の前記表示部を前記出力手段に表示し、前記コントローラは前記パネルでの接触位置に基づき前記複数の表示部の何れか１つに対応した前記タッチ信号を出力し、前記制御手段は入力された前記タッチ信号に対応した前記表示部に表示された記号を前記クリック信号の入力と前記クリック信号の入力解消とに基づき切替表示することを特徴としている。
【００１５】
上記構成の記号入力装置によれば、制御手段によって複数の表示部が出力手段に表示される。これらの表示部の各々には互いに異なる複数の記号のうちの何れか１つが表示される。コントローラのパネルに指等が触れると、このパネルにおける指等の接触位置に対応したタッチ信号がコントローラから出力され、複数の表示部のうちパネルにおける指等の接触位置に対応した表示部でクリック信号の入力と入力の解消とにより記号の切替表示が成される。
【００１６】
請求項３記載の記号入力装置は、請求項１記載の本発明において、前記制御手段は互いに異なる複数の記号の何れか１つを表示する候補表示部を前記表示部とは別に前記出力手段に表示すると共に、前記クリック信号の入力と前記クリック信号の入力解消とにより前記表示部にて前記複数の記号が切替表示されることを特徴としている。
【００１７】
上記構成の記号入力装置では、制御手段によって表示部とは別に出力手段に表示された候補表示部には、互いに異なる複数の記号の何れか１つが表示される。制御手段に対するクリック信号の入力とクリック信号の入力の解消が行なわれると、上記の互いに異なる複数の記号が表示部で切替表示される。このため、表示部だけを見ていれば次に表示される記号を確認できるため、より一層、操作性が向上する。特に、出力手段に複数の候補表示部が表示され、これらの操作表示部の各々に互いに異なる複数の記号の何れか１つが表示される構成の場合には、より効果的であり、記号を入力するにあたって、複数の候補表示部を見なくても表示部だけを見ながら記号の入力が可能で、視点移動回数を大幅に低減でき、操作性を効果的に向上できる。
【００１８】
【発明の実施の形態】
＜第１の実施の形態の構成＞
図１には本発明の第１の実施の形態に係る記号入力装置としての（詳細に言えば、本発明の一実施の形態に係る記号入力装置をその機能の一部として有する）カーナビゲーション装置１０の概略的な外観が示されており、図２には本カーナビゲーション装置１０の構成のブロック図が示されている。
【００１９】
これらの図に示されるように、本カーナビゲーション装置１０は装置本体１２を備えている。この装置本体１２は全体的に箱形状に形成されており、車両のインスツルメントパネルに形成された収容部（図示省略）へ収容される。この収容部に収容された状態で車両室内側に露出する装置本体１２の外壁部１４には開口部１６が形成されており、透明若しくは赤外光の透過が可能に着色された窓１８が嵌め込まれている。この開口部１６を介して装置本体１２の内側には、図２に示される赤外線受光部２０が設けられている。
【００２０】
この赤外線受光部２０は、装置本体１２の内部に設けられたＣＰＵ等の制御手段としての制御部２２へ接続されており、受光した赤外線信号に応じた電気信号を制御部２２へ送信している。一方、制御部２２は装置本体１２の内部若しくは装置本体１２の外部に設けられた記憶媒体２４へ接続されており、記憶媒体２４へ記憶された様々なプログラムを読み込んで、それを処理、実行する。
【００２１】
一方、本カーナビゲーション装置１０は出力手段としてのモニタテレビ２６を備えている。モニタテレビ２６は車両のインスツルメントパネル上を含めた所定の設置箇所で運転席等から見えるように設置される。このモニタテレビ２６は、フラットケーブル等の接続手段を介して装置本体１２の制御部２２へ接続されており、制御部２２にて処理結果、実行結果を表示できる。特に、図５に示されるように、記憶媒体２４から文字入力プログラムが読み込まれた場合には、表示部としての入力文字表示部３０が表示され、基本的に後述する選択、確定操作によって確定された文字が表示される。
【００２２】
また、記憶媒体２４から文字入力プログラムが読み込まれた場合に制御部２２は、モニタテレビ２６の画面において入力文字表示部３０の下方に１０個の候補表示部又は表示部としての候補ボタン３２、３４、３６、３８、４０、４２、４４、４６、４８、５０と後退ボタン５２及び検索ボタン５４を表示する。これらの候補ボタン３２〜５０は、各々に記号としてのひらがな５０音の各行の文字が割り当てられる。具体的には、候補ボタン３２には「あ行」の文字、すなわち、「あいうえお」の５文字が割り当てられ、候補ボタン３４には「か行」の文字、すなわち、「かきくけこ」の５文字が割り当てられる。また、候補ボタン４８には「や行」の文字、すなわち、「やゆよ」の３文字が割り当てられ、候補ボタン５０には「わをん」の３文字と濁点並びに半濁点が割り当てられる。
【００２３】
なお、これらの候補ボタン３２〜５０には上述した各文字の他に、対応する文字の小文字、すなわち、「あ」に対する「ぁ」や「ゆ」に対する「ゅ」等を更に設定してもよい。また、各ひらがな文字に対応するかたかな文字を設定してもよい。さらに、本実施の形態は、ひらがな５０音の文字を各候補ボタン３２〜５０に割り当てる構成であるが、ひらがな５０音以外にアルファベット文字やギリシャ文字等の他の文字や郵便番号を表す「〒」等の各種記号、文字を含む記号全般であればどのような記号を割り当てても構わない。
【００２４】
さらに、候補ボタン５０に隣接する後退ボタン５２は、この後退ボタン５２を選択及び確定処理することで上述した入力文字表示部３０に表示された文字列（記号列）の最後尾の文字を削除する。また、候補ボタン５０を介して後退ボタン５２とは反対側の検索ボタン５４は、この検索ボタン５４後述する方法にてこの検索ボタン５４を選択及び確定処理することで記憶媒体２４が記憶している検索プログラムを制御部２２が読み込んで起動させ、入力文字表示部３０に表示された文字列を検索条件として検索する。
【００２５】
さらに、本カーナビゲーション装置１０は入力手段としてのコントローラ７０を備えている。ここで、図３にはコントローラ７０の構成が平面図によって示されており、図４にはコントローラ７０の構成が断面図によって示されている。
【００２６】
図４に示されるように、コントローラ７０は下ケース７２と上ケース７４とにより構成されたケース７６を備えている。下ケース７２は厚さ方向一方の側へ向けて開口した略箱形状に形成されている。これに対し、上ケース７４は下ケース７２とは反対側へ向けて開口した略箱形状で、下ケース７２と上ケース７４とは互いの開口端が向き合った状態で一体的に連結されている。
【００２７】
また、上ケース７４の上底部７８には略矩形状の開口部８０が形成されており、この開口部８０に対応してケース７６にはパネルスイッチ８２を構成するパネル８４が設けられている。パネル８４は外周形状が開口部８０に対応した略矩形平板状に形成されている。なお、図４において、パネル８４の表面上には、内側に「あ」、「か」、「さ」、・・・「後退」、「わ」、「検索」等の文字が書かれた円が４行３列のマトリックス状に記載されているが、これは、本実施の形態の説明を容易にするために記載したものであって、パネル８４の表面上にこのような文字や円が実際に描かれることを意味するものではない。
【００２８】
さらに、図３に示されるように、このパネル８４の下方（下ケース７２側）には基板１１０が略平行に配置されている。基板１１０には表面及び裏面の少なくとも何れか一方にプリント配線等の配線が施されていると共に、ＣＰＵ１１２やバッテリー１１４、更には、上述した抵抗やコンデンサ等の電気部品が上記の配線により電気的に接続されている。この基板１１０は図示しない保持手段によって直接或いは間接的に上ケース７４又は下ケース７２に固定されている。また、基板１１０上には圧縮コイルスプリング８６が配置されており、パネル８４を開口部８０側へ付勢した状態で基板１１０へ接離移動可能に支持している。さらに、基板１１０にはストッパ８８が設けられている。ストッパ８８はパネル８４の外周部に係合しており、所定距離以上にパネル８４が基板１１０から離間しないように保持している。
【００２９】
また、パネル８４と基板１１０との間にはパネル８４と共にパネルスイッチ８２を構成するプッシュスイッチ９０が設けられている。プッシュスイッチ９０は本体９２を備えている。本体９２は図示しない固定接点を備えている。この固定接点は基板１１０の配線へ電気的に接続されている。さらに、この本体９２には可動部９４が設けられている。可動部９４は基板１１０に対するパネル８４の接離方向と略同方向に本体９２に対して移動可能とされており、基板１１０へ接近する方向へ移動することで少なくとも一部が本体９２内へ移動する。また、可動部９４には図示しない可動接点を備えており、可動部９４が基板１１０へ接近する方向へ移動した際に本体９２の固定接点へ接触して導通し、基板１１０から離間することで固定接点との導通が解除される。
【００３０】
可動部９４の本体９２とは反対側はパネル８４の裏面へ当接している。したがって、パネル８４が圧縮コイルスプリング８６の付勢力に抗して基板１１０へ接近する方向へ移動することで可動部９４が基板１１０へ接近し、可動部９４の可動接点が本体９２の固定接点に接触する構成である。
【００３１】
さらに、基板１１０の外周部近傍の裏面側には、赤外線発光素子１１６が配置されている。赤外線発光素子１１６は上記のＣＰＵ１１２やバッテリー１１４へ電気的に接続されており、ＣＰＵ１１２からの信号に基づいて赤外線信号Ｌ０を発する。この赤外線発光素子１１６に対応して下ケース７２の側壁１１８には開口部１２０が形成されている。この開口部１２０には透明若しくは赤外線の透過が可能な程度に着色された窓１２２が嵌め込まれており、赤外線発光素子１１６にて発せられた赤外線信号Ｌ０は窓１２２を透過してケース７６の外部へ出て、上述した装置本体１２の窓１８を透過して赤外線受光部２０に受光される。
【００３２】
一方、図３に示されるように、パネル８４の長手方向一方の端部の側方で且つ上底部７８の裏面側には、複数の（本実施の形態では３個）の発光ダイオード１２４、１２６、１２８が設けられている。これらの発光ダイオード１２４〜１２８はパネル８４の長手方向一方の端部に沿って所定間隔毎に配置されており、各発光ダイオード１２４〜１２８から発せられたビーム光Ｌ１はパネル８４の表面並びに他のビーム光Ｌ１に対して平行にパネル８４上を通過する。
【００３３】
図４に示されるように、発光ダイオード１２４〜１２８は基板１１０へ連結されており、基板１１０に設けられた配線を介してバッテリー１１４やＣＰＵ１１２へ電気的に接続され、ビーム光Ｌ１はＣＰＵ１１２からの電気信号に基づいて発せられる。
【００３４】
また、図３に示されるように、パネル８４の長手方向他方の端部（すなわち、発光ダイオード１２４〜１２８が設けられた側とは反対側の端部）の側方で且つ上底部７８の裏面側には複数（本実施の形態では３個）の受光素子１３０、１３２、１３４が配置されている。これらの受光素子１３０〜１３４は上述した発光ダイオード１２４〜１２８に対応して設けられており、各々が対向する発光ダイオード１２４〜１２８から発せられたビーム光Ｌ１を受光する。
【００３５】
図４に示されるように、各受光素子１３０〜１３４は基板１１０へ連結されており、基板１１０に設けられた配線を介してバッテリー１１４やＣＰＵ１１２へ電気的に接続され、ビーム光Ｌ１を受光したか否かの情報を電気信号としてＣＰＵ１１２へ送っている。
【００３６】
一方、図３に示されるように、パネル８４の幅方向一方の端部の側方で且つ上底部７８の裏面側には、複数の（本実施の形態では４個）の発光ダイオード１３６、１３８、１４０、１４２が設けられている。これらの発光ダイオード１３６〜１４２はパネル８４の幅方向一方の端部に沿って所定間隔毎に配置されており、各発光ダイオード１３６〜１４２から発せられたビーム光Ｌ２はパネル８４の表面並びに他のビーム光Ｌ２に対して平行にパネル８４上を通過する。
【００３７】
また、各発光ダイオード１３６〜１４２は基板１１０へ連結されており、基板１１０に設けられた配線を介してバッテリー１１４やＣＰＵ１１２へ電気的に接続され、ビーム光Ｌ２はＣＰＵ１１２からの電気信号に基づいて発せられる。
【００３８】
一方、パネル８４の幅方向他方の端部（すなわち、発光ダイオード１３６〜１４２が設けられた側とは反対側端部）の側方で且つ上底部７８の裏面側には複数（本実施の形態では４個）の受光素子１４４、１４６、１４８、１５０が配置されている。これらの受光素子１４４〜１５０は上述した発光ダイオード１３６〜１４２に対応して設けられており、各々が対向する発光ダイオード１３６〜１４２から発せられたビーム光Ｌ２を受光する。
【００３９】
また、各受光素子１４４〜１５０は基板１１０へ連結されており、基板１１０に設けられた配線を介してバッテリー１１４やＣＰＵ１１２へ電気的に接続され、ビーム光Ｌ２を受光したか否かの情報を電気信号としてＣＰＵ１１２へ送っている。
【００４０】
＜第１の実施の形態の作用、効果＞
次に、本実施の形態の全体的な作用並びに効果の説明に先立ち、コントローラ７０の作動について簡単に説明する。
【００４１】
コントローラ７０では、バッテリー１１４の通電状態になると、各発光ダイオード１２４〜１２８の各々からビーム光Ｌ１が発せられると共に、各発光ダイオード１３６〜１４２の各々からビーム光Ｌ２が発せられる。各発光ダイオード１２４〜１２８、１３６〜１４２から発せられたマトリックス状のビーム光Ｌ１、Ｌ２はこれを遮断するものがない限り、対応する受光素子１３０〜１３４、１４４〜１５０に到達して各受光素子１３０〜１３４、１４４〜１５０に受光される。
【００４２】
各発光ダイオード１２４〜１２８、１３６〜１４２からビーム光Ｌ１、Ｌ２が発せられた状態でパネル８４の表面に指が触れると、指が触れた部分におけるパネル８４の表面上では対応するビーム光Ｌ１、Ｌ２が指によって遮断され、遮断されたビーム光Ｌ１、Ｌ２に対応した受光素子１３０〜１３４、１４４〜１５０だけはビーム光Ｌ１、Ｌ２が到達しない。さらに、ＣＰＵ１１２はビーム光Ｌ１、Ｌ２が到達していない受光素子１３０〜１３４、１４４〜１５０から遮断信号を受け、赤外線発光素子１１６からこの遮断信号に基づいた赤外線信号Ｌ０を発光させる。
【００４３】
また、この状態で圧縮コイルスプリング８６の付勢力に抗してパネル８４を押圧して下ケース７２側へ変位させると、プッシュスイッチ９０の可動部９４がパネル８４からの押圧力で基板１１０側へ移動し、これにより、可動部９４の可動接点と本体９２の固定接点とが接触して導通する。可動部９４の可動接点と本体９２の固定接点との導通は固定接点へ電気的に接続されているＣＰＵ１１２により検出され、可動部９４の可動接点と本体９２の固定接点との導通をＣＰＵ１１２が検出すると、ＣＰＵ１１２は赤外線発光素子１１６から可動部９４の可動接点と本体９２の固定接点との導通信号に基づいた赤外線信号Ｌ０を発光させる。
【００４４】
このようにして赤外線発光素子１１６から発せられた赤外線信号Ｌ０は装置本体１２の赤外線受光部２０にて受光され、更に制御部２２は赤外線受光部２０が受けた赤外線信号Ｌ０に対応した電気信号を受ける。なお、以下、遮断信号に基づく赤外線信号Ｌ０に対応した電気信号を便宜上「タッチ信号」と称し、導通信号に基づく赤外線信号Ｌ０に対応した電気信号を便宜上「クリック信号」と称する。
【００４５】
次に、本カーナビゲーション装置１０において記憶媒体２４に記憶されていた文字入力プログラムを制御部２２が読み込んで起動した場合について、図１４のフローチャートを用いて説明する。
【００４６】
図１４に示されるように、ステップ２００で制御部２２が記憶媒体２４に記憶されていた文字入力プログラムを読み込むと、次いで、ステップ２０２で初期設定処理が行なわれる。この初期設定処理では、フラグＦに０が代入されてリセットされると共に、モニタテレビ２６の画面に入力文字表示部３０、候補ボタン３２〜５０、後退ボタン５２、及び検索ボタン５４が表示され、更に、各候補ボタン３２〜５０には対応する５０音各行の「あ」の段の文字が第１候補文字として表示される。
【００４７】
次いで、ステップ２０４で赤外線受光部２０から送られる赤外線信号Ｌ０に対応した電気信号の読取りが行なわれ、ステップ２０６で赤外線信号Ｌ０に基づいて赤外線受光部２０から送られる電気信号が処理される。
【００４８】
ステップ２０８では、ステップ２０６で処理した電気信号がクリック信号であるか否かが判定され、処理した信号がクリック信号でない場合にはステップ２０６で処理した電気信号がタッチ信号であるか否かがステップ２１０で判定される。さらに、ステップ２０６で処理した電気信号がタッチ信号でないとステップ２１０で判定されると、ステップ２１２でフラグＦが立っているか否か（フラグＦに１が代入されているか否か）が判定される。仮に初期設定処理直後の状態であればフラグＦはリセットされたままの状態であるため、ステップ２１２での判定処理の後再びステップ２０４へ戻る。このように、基本的に制御部２２が赤外線受光部２０からクリック信号若しくはタッチ信号を受けるまでは上記ステップを循環する無限ループとなり、クリック信号若しくはタッチ信号を受けるまで信号待機状態となる。
【００４９】
この信号待機状態から、仮に、「あいち」の３文字を入力する場合には、先ず、モニタテレビ２６の画面に表示された各ボタン３２〜５４の配置形態と略同様にパネル８４の表面を分割した際の「あ行」の候補ボタン３２に対応した位置（図３において円中に「あ」の文字が描かれている部分）に指で触れる。この状態では、発光ダイオード１２４と発光ダイオード１３６から発せられた各ビーム光Ｌ１、Ｌ２が指により遮られるため、受光素子１３０と受光素子１４４にはビーム光Ｌ１、Ｌ２が到達せず、ＣＰＵ１１２は受光素子１３０、１４４からの遮断信号に基づいた赤外線信号Ｌ０を赤外線発光素子１１６に発光させる。この赤外線信号Ｌ０は赤外線受光部２０により受光され、この赤外線信号Ｌ０に対応したタッチ信号が制御部２２へ送られる。
【００５０】
図１４にフローチャートにおいては、ステップ２０４で赤外線受光部２０から送られたタッチ信号の読取りが行なわれ、ステップ２０６でタッチ信号の処理が行なわれる。ステップ２０８で赤外線受光部２０から送られた電気信号がクリック信号であるか否かが判定されるが、この場合の電気信号はタッチ信号であるためステップ２１０へ進み、ステップ２１０で赤外線受光部２０から送られた電気信号がタッチ信号であるか否かが判定されてステップ２１４へ進む。
【００５１】
ステップ２１４ではこのタッチ信号を制御部２２が受ける前に制御部２２が受けた信号がクリック信号であるか否かが判定される。このタッチ信号を受ける前にクリック信号を受けていればステップ２１６へ進んだ後にステップ２１８へ進むが、この場合のようにこのタッチ信号が最初の信号であった場合等、制御部２２が前回受けた信号がクリック信号でない場合には、ステップ２１６へ進まずに直接ステップ２１８へ進む。
【００５２】
ステップ２１８ではこのタッチ信号に対応した候補ボタン３２が前回と同じであるか否か、すなわち、受信したタッチ信号が前回と同じであるか否かが判定される。この場合のように候補ボタン３２に対応したタッチ信号を最初に制御部２２が受信したのであればステップ２２０へ進む。ステップ２２０では連続したタッチ信号を受信していたか否かが判定される。この場合には最初のタッチ信号であるためステップ２２２へ進み、ステップ２２２で該当ボタン、すなわち、図６に示されるように、候補ボタン３２の色が反転させられて再びステップ２０４へ戻る。この後、パネル８４が押圧されるまではステップ２０４、２０６、・・・ステップ２１４、２１８へと進み、ステップ２１８から直接ステップ２０４へと戻る無限ループとなる。
【００５３】
この状態からパネル８４を押圧（クリック）することで可動部９４の可動接点と本体９２の固定接点とが導通し、これに基づいて赤外線発光素子１１６から発せられた赤外線信号Ｌ０を赤外線受光部２０が受けると、ステップ２０４にて赤外線受光部２０からのクリック信号を読取ってステップ２０６でクリック信号を処理し、ステップ２０８で受信した信号がクリック信号であるか否かが判定される。この場合の電気信号はクリック信号であるためステップ２２４へ進む。
【００５４】
ステップ２２４ではこのクリック信号を制御部２２が受ける前に制御部２２が受けた信号がクリック信号であるか否かが判定される。このクリック信号を受ける前にクリック信号を受けていればステップ２０４へ戻るが、この場合のようにこのクリック信号を受ける前の信号がタッチ信号である場合等、このクリック信号を受ける前の信号がクリック信号でない場合にはステップ２２６へ進み、ステップ２２６にてフラグＦに１が代入されてフラグＦが立たされる。
【００５５】
次いで、ステップ２２８では、図７に示されるように、この場合の該当ボタンである候補ボタン３２に表示された文字「あ」を入力文字表示部３０に表示し、更に、ステップ２３０で該当ボタン、この場合には候補ボタン３２の色を変更して再びステップ２０４へ戻る。
【００５６】
パネル８４の押圧状態が継続している場合には、制御部２２は連続してクリック信号を受信することになるため、ステップ２０４からステップ２０６、２０８、２２４と進み、再びステップ２０４へと戻る無限ループとなる。
【００５７】
一方、この状態からパネル８４への押圧を解除すると、クリック信号は解除されるが、パネル８４の表面に指が触れていればタッチ信号を制御部２２が受信することになるため、図１４のフローチャートではステップ２０４からステップ２０６、２０８を介してステップ２１０へと進み、更に、ステップ２１４からステップ２１６へと進んでステップ２１６では、図８に示されるように、この場合の該当ボタンである候補ボタン３２の次候補文字である「い」の文字が表示される。
【００５８】
次いで、ステップ２１８ではこのタッチ信号に対応した候補ボタン３２が前回と同じであるか否か、すなわち、受信したタッチ信号が前回と同じであるか否かが判定される。この場合にはクリック信号の受信前に受信したタッチ信号が同一のタッチ信号であるためステップ２１８から直接ステップ２０４へと戻る。
【００５９】
さらに、この場合には、「あいち」の「あ」の文字を入力するため、このまま「あ」の文字の確定する。次に、この「あ」の文字の確定に関して説明する。
【００６０】
この場合、本実施の形態では、それまでパネル８４の表面に触れていた指をパネル８４の表面から離間させる。パネル８４表面から指を離間させると、それまで指で遮断されていた発光ダイオード１２４、１３６からのビーム光Ｌ１、Ｌ２が受光素子１３２、１４４へ到達することになるため、遮断信号に基づく赤外線信号Ｌ０が赤外線発光素子１１６から発せられることはなくなり、当然、制御部２２がタッチ信号を受信することもなくなる。また、この状態では、パネル８４への押圧力もないため、制御部２２がクリック信号を受信することもない。
【００６１】
したがって、この場合には、ステップ２０４からステップ２０６、２０８、２１０を介してステップ２１２へと進む。ここで、ステップ２１２ではフラグＦが立たされているか否かが判定されるが、上述したように、この場合にはステップ２２６においてフラグＦが立たされているためステップ２３２へ進み、ステップ２３２で候補文字の確定処理が行なわれる。次いで、図９に示されるように、ステップ２３４で入力文字表示部３０において「あ」の文字の位置にあったカーソルが右にずれ、ステップ２３６で該当ボタンである候補ボタン３２の色が元の色に戻されると共に候補ボタン３２に表示されていた文字が第１候補文字である「あ」の文字に変更される（すなわち、候補ボタン３２に関しては初期設定の状態になる）。次いで、ステップ２３８でフラグＦに０が代入されてフラグＦがリセットされて再びステップ２０４に戻り信号待機状態になる。
【００６２】
このように、本実施の形態では、次の文字を入力する前に一度パネル８４から指を離間させるだけ候補文字の確定ができるため極めて操作性に優れる。
【００６３】
次に、「あいち」の「い」の文字を入力することになるが、この場合は、「あ」の文字を入力した際に候補ボタン３２に「い」の文字が表示されるまでは（すなわち、図８の状態となるまでは）、「あ」の文字を入力する場合における説明と同じになるため省略する。
【００６４】
図８に示されるように、候補ボタン３２に「い」の文字が表示された状態で再びパネル８４を押圧すると、この場合に制御部２２が受信する信号はクリック信号であるため、ステップ２０４からステップ２０６を介してステップ２０８へ進んだ後にはステップ２２４へ進む。ここで、再度パネル８４に指が触れてからパネル８４を押圧し、その後に再びパネル８４を押圧する場合（すなわち、断続的に２回パネル８４を押圧する場合）には、先のパネル８４の押圧と次のパネル８４の押圧との間にパネル８４に対する押圧解除が必ずあり、このときには制御部２２がタッチ信号を受信することになる。したがって、この場合には、ステップ２２４においては前回受信した信号はクリック信号ではないと判定されてステップ２２６からステップ２２８へと進む。ステップ２２８では図１０に示されるようにこの場合の該当ボタンである候補ボタン３２に表示された「い」の文字が入力文字表示部３０のカーソル位置（すなわち、「あ」の右隣り）に表示され、ステップ２３０で該当ボタンである候補ボタン３２の色を変更して再びステップ２０４へ戻る。
【００６５】
この状態で、パネル８４に対する押圧力を解除すると、候補ボタン３２に表示された文字が「あ」から「い」に変更された際と同様の処理がなされて図１１に示されるように候補ボタン３２に「い」の次の候補文字である「う」の文字が表示される。さらに、この状態から指をパネル８４から離間させると、先に「あ」の文字を確定した際と同様の処理がなされて図１２に示されるように「い」の文字が確定される。
【００６６】
このように、本実施の形態では、候補ボタン３２〜５０の各々に設定された５０音の各行の文字のうち、同一の候補ボタン３２〜５０に設定された文字を続けて入力する際にも、次の文字を入力する前に一度パネル８４から指を離間させるだけでよく、従来のテンキー構造のように別途カーソル移動のための特別な操作を行なったり確定のための特別なキー操作等を行なったりする必要がないため、極めて操作性に優れる。
【００６７】
次に、「あいち」の「ち」の字を入力することになるが、「ち」の字の入力を開始する前に指をパネル８４から離間させていたのであれば、パネル８４の表面における指の接触位置が「い」の字を入力する場合とは異なり、発光ダイオード１２４と発光ダイオード１３８の各々から発せられたビーム光Ｌ１、Ｌ２を遮断できる位置を触れることになり、これにより、制御部２２が受信するタッチ信号が変わって該当するボタンが候補ボタン３８となるが、それ以外に関しては各処理を含めて「い」の文字を入力する際と基本的に同じであるため、その説明は省略する。
【００６８】
一方、上述した処理のうち、ステップ２２８で候補ボタン３２に「い」の文字を表示させてステップ２３０で候補ボタン３２の色を変更してからパネル８４への押圧力を解除したものの、指をパネル８４から離間させずにそのまま発光ダイオード１２４と発光ダイオード１３８の各々から発せられたビーム光Ｌ１、Ｌ２を遮断できる位置へ指をスライドさせた場合には、ステップ２０４からステップ２０６、２０８を介してステップ２１０へと進み、更に、ステップ２１４からステップ２１８へと進むが、指の位置が変わることでタッチ信号の内容が変更されているため、ステップ２２０へと進みステップ２２０で連続したタッチ信号を受信したか否かが判定される。この場合には、タッチ信号の内容は変更されているものの、制御部２２は連続したタッチ信号を受信していることになるため、ステップ２４０へ進みステップ２４０でフラグＦが立っているか否かが判定される。この場合には、既にステップ２２６でフラグが立たされているためステップ２４２へ進み、以下、ステップ２４２、２４４、２４６、２４８では上述したステップ２３２、２３４、２３６、２３８と同じ処理がなされて「い」の文字が確定され、次いで、ステップ２２２で候補ボタン３８の色が反転させられてからステップ２０４へ戻る。一方、ステップ２４０においてフラグＦが立っていないと判定された場合には、ステップ２５０でこの状態で該当ボタンである候補ボタン３２の色が元の色に戻されてからステップ２２２で次の該当ボタンである候補ボタン３８の色が変更されてからステップ２０４へ戻る（図１３参照）。
【００６９】
このように、本実施の形態では、他の行の文字を入力する際にはパネル８４から指を離間させずにスライドさせるだけでも先の文字を確定してから次の文字を入力できる。
【００７０】
また、本実施の形態では、パネル８４を介してプッシュスイッチ９０の可動部９４を押圧する毎に入力文字表示部３０に文字が表示された後に候補ボタン３２〜５０には次候補文字が表示される。すなわち、パネル８４を介して可動部９４を押圧する直前に見た候補文字が可動部９４を押圧した後に入力文字表示部３０に表示される。このため、基本的には入力文字表示部３０を見ずに候補ボタン３２〜５０だけを見れば確実な文字入力が可能であるため、各候補ボタン３２〜５０と入力文字表示部３０との間の視点の移動回数を極端に軽減できるため、その意味で極めて操作性に優れる。
【００７１】
＜第２の実施の形態の構成＞
次に、本発明の第２の実施の形態について説明する。なお、この第２の実施を説明するにあたり、基本的に前記第１の実施の形態と同一の部位に関しては同一の符号を付与してその説明を省略する。また、この第２の実施の形態において各候補ボタン３２〜５０及び後述する各々が候補表示部又は表示部としての特殊記号ボタン３０２、絵文字ボタン３０４、入力モードボタン３０６と、カーソル移動ボタン３０８、３１０、クリアボタン３１２等の色の反転、変更、表示する文字の切り替え、並びに、入力文字表示部３０での文字の表示及び確定に関しては基本的に前記第１の実施の形態と同じであるのでその説明も省略する。
【００７２】
図１５には、本発明の第２の実施の形態に係る記号入力装置をその機能の一部として有するカーナビゲーション装置３００のモニタテレビ２６に候補ボタン３２〜５０及び入力文字表示部３０等が表示された状態（すなわち、文字入力画面が表示された状態）の正面図が示されている。
【００７３】
この図に示されるように、本カーナビゲーション装置３００では、候補ボタン３２〜５０に加え、候補表示部としての特殊記号ボタン３０２、絵文字ボタン３０４、入力モードボタン３０６と、カーソル移動ボタン３０８、３１０及びクリアボタン３１２が表示され、入力文字表示部３０を除いては前記第１の実施の形態とは異なり４行４列のマトリックス状に各ボタン３２〜５０、３０２〜３１２が表示される。
【００７４】
文字入力プログラムを制御部２２が読み込んだ際には、特殊記号ボタン３０２には図１５に示される「＠」の記号を第１候補記号とする複数の特殊記号、例えば、「。」（句点）や「、」（読点）、「．」（ドット）や「＆」（アンド）等の記号が設定される。また、絵文字ボタン３０４には図１５に示される記号を第１候補記号として様々な絵記号（例えば、ハートマークや所謂顔文字等）が設定される。さらに、入力モードボタン３０６には図１５に示されるように「数字」という文字が次候補記号として表示されると共に、２番目の次候補記号としてかたかなを意味する「カナ」という文字が表示され、更に、３番目の次候補記号としてひらがなを意味する「かな」という文字が表示される。
【００７５】
これに対し、カーソル移動ボタン３０８、３１０は、何れかの色が反転、変更した状態でパネル８４を押圧すると、入力文字表示部３０に表示されたカーソルが該当するカーソル移動ボタン３０８、３１０中の三角の向きに移動し、既に確定した文字や記号の変更（再入力）を可能にする。また、クリアボタン３１２は、この色が反転、変更した状態でパネル８４を押圧すると、入力文字表示部３０に表示された全ての文字や記号が消去される。
【００７６】
一方、図１６に示されるように、本カーナビゲーション装置３００においても入力手段としてのコントローラ３２０を備えている。このコントローラ３２０は、前記第１の実施の形態におけるコントローラ７０とは異なり、発光ダイオード１２４の発光ダイオード１２６とは反対側に発光ダイオード３２２が設けられており、発光ダイオード１２４〜１２８と同様にビーム光Ｌ１を発する。一方、受光素子１３０の受光素子１３２とは反対側には受光素子３２４が設けられており、発光ダイオード３２２が発するビーム光Ｌ１を受光する。
【００７７】
これらの発光ダイオード３２２及び受光素子３２４は発光ダイオード１２４〜１２８及び受光素子１３０〜１３４と同様に基板１１０を介してＣＰＵ１１２（図３参照）へ電気的に接続されている。
【００７８】
すなわち、前記第１の実施の形態ではコントローラ７０のパネル８４上を３本のビーム光Ｌ１が通過する構成であったのに対し、本実施の形態ではコントローラ３２０のパネル８４上を４本のビーム光Ｌ１が通過する。コントローラ７０とコントローラ３２０との構成の基本的な相違点はこの発光ダイオード３２２と受光素子３２４の有無で、他の構成は基本的に同一である。
【００７９】
＜第２の実施の形態の作用、効果＞
本カーナビゲーション装置３００では、基本的な作用、効果は前記第１の実施の形態と同様であるが、発光ダイオード３２２及び発光ダイオード１４０から発せられたビーム光Ｌ１、Ｌ２を指で遮った場合の作用、効果が前記第１の実施の形態とは異なる。
【００８０】
すなわち、本カーナビゲーション装置３００において発光ダイオード３２２及び発光ダイオード１４０から発せられたビーム光Ｌ１、Ｌ２を遮るように指でパネル８４を触れると（すなわち、パネル８４の円中に「数字」の文字が記載されている部分に触れると）、このときのタッチ信号に応じて制御部２２は、図１７に示されるように、入力モードボタン３０６の色を反転させる。次いで、この状態でパネル８４を押圧し、プッシュスイッチ９０の可動部９４に設けられた可動接点と本体９２に設けられた固定接点とを導通させると、このときのクリック信号に応じて制御部２２は入力モードボタン３０６の色を変更する（図１８参照）。
【００８１】
さらに、この状態でパネル８４への押圧を解除すると、図１９に示されるように、制御部２２は再度受けたタッチ信号に応じて入力モードボタン３０６にそれまで表示されていた次候補記号である「数字」の文字から２番目の次候補記号である「カナ」の文字に表示を切り替える。さらに、その後、制御部２２は候補ボタン３２〜５０に表示をひらがな５０音各行の「あ」の段の文字から「１」、「２」、「３」・・・・「０」の数字に切り替える。次いで、パネル８４から指を離間させ、指による発光ダイオード３２２及び発光ダイオード１４０から発せられたビーム光Ｌ１、Ｌ２の遮断を解除すると、図１５に示されるように、入力モードボタン３０６の色が元の色に復元される。但し、この状態では、入力モードボタン３０６及び候補ボタン３２〜５０の表示文字（表示記号）は変更されない。すなわち、本実施の形態において各候補ボタン３２〜５０の作用は前記１の実施の形態に係る入力文字表示部３０と同じである。
【００８２】
その後、例えば、発光ダイオード１２４、１４０から発せられたビーム光Ｌ１、Ｌ２を遮るように指でパネル８４を触れ、更に、この状態でパネル８４を押圧及び押圧解除すると、入力文字表示部３０に「１」が表示される。すなわち、各候補ボタン３２〜５０に数字が表示された状態では数字の入力が可能なる。
【００８３】
一方、図１９に示される状態から更に指による発光ダイオード３２２、１４０から発せられたビーム光Ｌ１、Ｌ２を遮断しつつ、パネル８４を押圧並びに押圧解除を行なうと、図２０に示されるように、入力モードボタン３０６に３番目の次候補記号である「かな」の文字が表示されると共に、「かな」の文字が表示される前に入力モードボタン３０６に表示されていた２番目の次候補記号である「カナ」の文字に対応したかたかな５０音の「アの段」の文字が各候補ボタン３２〜５０に表示される。
【００８４】
以上のように、本実施の形態では、入力モードボタン３０６に対応した操作でひらがな、数字、かたかなの入力を切り替えることができる。
【００８５】
ここで、本実施の形態では、各候補ボタン３２〜５０にひらがなが表示されている状態では、入力モードボタン３０６に「数字」という表示がなされ、各候補ボタン３２〜５０に数字が表示されている状態では、入力モードボタン３０６に「カナ」という表示がなされるため、入力モードボタン３０６に対応した操作を行ない、入力モードを切り替えた後には如何なる記号や文字の入力が可能になるか切り替え以前の状態でわかるため、この意味で操作性を向上できる。しかも、入力モードボタン３０６をモニタテレビ２６に出力することで、基本的に入力に必要な情報が全てモニタテレビ２６の画面に表示されることになり、コントローラ３２０に視点を移動させなくても入力モードの切り替えができる等、更に操作性を向上できる。
【００８６】
【発明の効果】
以上説明したように、本発明では、記号を入力するにあたり、基本的に表示部だけを見ればよいため、視点移動回数を少なくでき、操作性を大幅に向上させることができる。しかも、記号の選択や確定に際して従来のテンキー構造のように別途カーソル移動のための特別な操作を行なったり確定のための特別なキー操作等を行なったりする必要がないため、極めて操作性に優れる。
【図面の簡単な説明】
【図１】本発明の第１の実施の形態に係る記号入力装置をその機能の一部として有するカーナビゲーション装置の構成を示す斜視図である。
【図２】本発明の第１の実施の形態に係る記号入力装置をその機能の一部として有するカーナビゲーション装置の構成の概略を示すブロック図である。
【図３】本発明の第１の実施の形態におけるコントローラの平面図である。
【図４】本発明の第１の実施の形態におけるコントローラの構成の概略を示す断面図である。
【図５】文字入力画面を表示した状態での出力手段（モニタテレビ）の正面図である。
【図６】「あ行」の文字が対応した候補ボタン（候補表示部）の色が反転した状態を示す図５に対応した正面図である。
【図７】「あ行」の文字が対応した候補ボタン（候補表示部）の色が変更され且つ入力文字表示部に第１候補文字である「あ」の文字が出力された状態を示す図５に対応した正面図である。
【図８】「あ行」の文字が対応した候補ボタン（候補表示部）に第２候補文字である「い」の文字が出力された状態を示す図５に対応した正面図である。
【図９】「あ」の文字を確定した状態を示す図５に対応した正面図である。
【図１０】「あ」の文字の次に「い」の文字が入力文字表示部に出力された状態を示す図５に対応した正面図である。
【図１１】「あ行」の文字が対応した候補ボタン（候補表示部）に第３候補文字である「う」の文字が出力された状態を示す図５に対応した正面図である。
【図１２】「い」の文字を確定した状態を示す図５に対応した正面図である。
【図１３】「い」の文字を確定し且つ「た行」の文字が対応した候補ボタン（候補表示部）の色が反転した状態を示す図５に対応した正面図である。
【図１４】本発明の一実施の形態に係る記号入力装置をその機能の一部として有するカーナビゲーション装置における文字入力プログラムの概略的なフローチャートである。
【図１５】本発明の一実施の形態に係る記号入力装置をその機能の一部として有するカーナビゲーション装置の出力手段（モニタテレビ）の正面図である。
【図１６】本発明の第２の実施の形態におけるコントローラの平面図である。
【図１７】入力モードボタンの色が反転した状態を示す図１５に対応した正面図である。
【図１８】入力モードボタンの色が変更された状態を示す図１５に対応した正面図である。
【図１９】入力モードボタンの表示記号が「カナ」に変更され且つ各候補ボタンの表示記号が数字に変更された状態を示す図１５に対応した正面図である。
【図２０】入力モードボタンの表示記号が「かな」に変更され且つ各候補ボタンの表示記号がかたかなに変更された状態を示す図１５に対応した正面図である。
【符号の説明】
１０    カーナビゲーション装置（記号入力装置）
２２    制御部（制御手段）
２６    モニタテレビ（出力手段）
３０    入力文字表示部（表示部）
３２    候補ボタン（候補表示部、表示部）
３４    候補ボタン（候補表示部、表示部）
３６    候補ボタン（候補表示部、表示部）
３８    候補ボタン（候補表示部、表示部）
４０    候補ボタン（候補表示部、表示部）
４２    候補ボタン（候補表示部、表示部）
４４    候補ボタン（候補表示部、表示部）
４６    候補ボタン（候補表示部、表示部）
４８    候補ボタン（候補表示部、表示部）
５０    候補ボタン（候補表示部、表示部）
７０ コントローラ
８４ パネル
３００    カーナビゲーション装置（記号入力装置）
３０２    特殊記号ボタン（候補表示部、表示部）
３０４    絵文字ボタン（候補表示部、表示部）
３０６    入力モードボタン（候補表示部、表示部）
【図１】
0003782290.tif 000002
【図２】
0003782290.tif 000003
【図３】
0003782290.tif 000004
【図４】
0003782290.tif 000005
【図５】
0003782290.tif 000006
【図６】
0003782290.tif 000007
【図７】
0003782290.tif 000008
【図８】
0003782290.tif 000009
【図９】
0003782290.tif 000010
【図１０】
0003782290.tif 000011
【図１１】
0003782290.tif 000012
【図１２】
0003782290.tif 000013
【図１３】
0003782290.tif 000014
【図１４】
0003782290.tif 000015
【図１５】
0003782290.tif 000016
【図１６】
0003782290.tif 000017
【図１７】
0003782290.tif 000018
【図１８】
0003782290.tif 000019
【図１９】
0003782290.tif 000020
【図２０】
0003782290.tif 000021